(57)【要約】座標の線形システムによって複数の座標フィールドに分割されるサーチ領域内で複数の所定の目的地へのナビゲーション装置であって、所定の時間間隔での自動位置決めによって、当該装置が位置する座標フィールドが決定され、現在の座標フィールドの記述とその目的地に到達する為に検出されるべき次の座標フィールドの記述と有するデータレコードを各座標フィールド毎に含むデータベースが設けられ、当該装置は、この装置へ所定の宛先の一つを入力したユーザに対して、該装置が到達される各新たな座標フィールドの記述と、その目的地に到達するために提供された次の座標フィールドの記述と、を表示する、ナビゲーション装置。
2005521047.tif 000002
【特許請求の範囲】
【請求項１】
座標の線形システムによって複数の座標フィールドに分割されるサーチ領域内で複数の所定の目的地へのナビゲーション装置であって、所定の時間間隔での自動位置決定によって、当該装置が位置する座標フィールドが決定され、現在の座標フィールドの記述とその目的地に到達する為に検出されるべき次の座標フィールドの記述と有するデータレコードを各座標フィールド毎に含むデータベースが設けられ、当該装置は、この装置へ前記所定の宛先の一つを入力したユーザに対して、該装置が到達される各新たな座標フィールドの記述と、目的地に到達するために提供された次の座標フィールドの記述と、を表示する、ナビゲーション装置。
【請求項２】
前記自動位置決定は、グローバルポジショニングシステムによって実行される、請求項１に記載の装置。
【請求項３】
前記座標システムは、ｘｙ座標を有する座標の線形システムを有し、この線形システムは、前記サーチ領域を５０ｍ×５０ｍの座標フィールドに分割する、請求項１に記載の装置。
【請求項４】
前記データベースは、前記装置内に局所的に位置される、請求項１に記載の装置。
【請求項５】
前記データベースは、無線リンクによって当該装置がアクセスする中央メモリおよび／またはサーバに位置される、請求項１に記載の装置。
【請求項６】
当該装置は、携帯電話に配置される、請求項５に記載の装置。
【請求項７】
前記データベースは、複数の装置とユーザのために中央に設けられる、請求項５に記載の装置。
【請求項８】
前記データベースは、一つの装置とそのユーザに対して個々に設けられる、請求項４または５に記載の装置。
【請求項９】
当該装置のユーザは、前記データベース内に追加の個人の目的地のデータレコードを記録することができ、且つ、ユーザ自身が現在の座標フィールドと前記目的地に到達するために検出されるべき次の座標フィールドの記述を前記データレコードに入力する、請求項７または８に記載の装置。
【発明の詳細な説明】
【技術分野】
【０００１】
本発明は、サーチ領域内の複数の所定の目的地へのナビゲーション装置に関する。
【背景技術】
【０００２】
公知のナビゲーション装置では、目的地へのルートの計算は、例えば、連続的位置決めによって決定される位置に基づいて、連続的に実行される。このため、データベース内に記憶された可能な所定のルートが使用される。目的地への最も好ましいルートの更新計算は、当該装置の移動に従って、連続的に実行される。このようなナビゲーション装置の主な欠点は、ケース毎に最適なルートを計算するためにかなりの演算能力が必要なことである。これは、特に、モバイル装置では不利であり、且つ、このような装置が可能な最小デバイスにおいて使用されるべきであり、且つ、車両に設けられない場合はより不利である。
【発明の開示】
【発明が解決しようとする課題】
【０００３】
本発明の目的は、最小の演算能力で管理する、従って、モバイル装置において有利に使用され得るナビゲーション装置を提供することである。
【課題を解決するための手段】
【０００４】
この目的は、請求項１の特徴、即ち、座標の線形システムによって複数の座標フィールドに分割されるサーチ領域内で複数の所定の目的地へのナビゲーション装置であって、所定の時間間隔での自動位置決めによって、当該装置が位置する座標フィールドが決定され、現在の座標フィールドの記述とその目的地に到達する為に検出されるべき次の座標フィールドの記述とを有するデータレコードを各座標フィールド毎に含むデータベースが設けられ、当該装置は、この装置へ上記所定の宛先の一つを入力したユーザに対して、当該装置が到達される各新たな座標フィールドの記述とその目的地に到達する為に提供された次の座標フィールドの記述と、を表示する、ナビゲーション装置、によって、本発明に従って、達成される。
【０００５】
本発明に従う装置は、データベースと共に動作し、それによって、当該装置の現在位置と求められるべき目的地の両方が位置されるサーチ領域が複数の座標フィールドに分割される。従って、座標の線形システムが使用されて、各座標は、ＸとＹ座標によって指定される。データレコードは、所定の宛先毎にデータベースに格納される。座標フィールドの座標に加えて、このデータレコードは、目的地に到達するために現在の座標フィールドの記述と検出されるべき次の座標フィールドの記述とを含む。
【０００６】
座標フィールドの記述は、当該装置のユーザに対して座標フィールドの一つまたはそれより多くの区別ポイントを示す記述である。例えば、これらのポイントは、通りの名称、特色のあるビルディング等である。検出されるべき次の座標フィールドの記述は、同様に構成される。
【０００７】
当該装置の連続的位置検出は、所定の間隔で現在の位置を検出する自動位置検出システムによって行なわれ、当該装置は、それから、本装置が位置される座標フィールドを決定できる。
【０００８】
従って、所定の目的地へのナビゲーションが必要な場合、その目的地は、該装置が位置される座標フィールド内における当該装置のこの連続的位置決めから知られる。当該装置は、ユーザに対してこの座標フィールドの記述を表示する。更に、この装置は、この目的地に到達するために次に検出されることが必要なその座標フィールドの記述をユーザに示す。当該装置は、選択された目的地に割り当てられるデータレコードからこれらのデータを読み出す事ができる。
【０００９】
このように、新たな座標フィールドの記述は、各新たなフィールドに到達すると、検出されるべき次の座標フィールドの記述と共に、表示される。このように、ユーザは、これらの記述によって、所定の目的地へのユーザの経路を簡易に見つけることができる。
【００１０】
夫々の座標フィールドのこれらの記述は、複数の所定の目的地に対してデータベース中に格納される事ができる。ユーザは、これらの目的地の内の一つを選択し、次に、本装置によって上述の方法でその目的地に案内される。
【００１１】
この装置の利点は、それ自体が計算を行う必要はないが、自動位置決めファイルの結果と事前に存在するデータベースデータレコードからそのルートを直接に表示できることである。公知のナビゲーションシステムによって実行される拡張計算は、必要ない。
【００１２】
これらの利点は、本発明に従う装置をモバイル、一般的に小さなデバイスで使用する場合に、特に顕著である。データベース中にデータレコードを格納する為の比較的大きなメモリを要する欠点は、更なる大容量記憶装置が、低価格で高集積形態で得られるので、次第に意味が無くなっている。
【００１３】
請求項２に記載の本発明の一つの発展によれば、連続的な自動位置決めが、例えば、公知のグローバルポジショニングシステム（ＧＰＳ）によって実行されうるという利点がある。
【００１４】
請求項３に記載の本発明の他の一つの発展によれば、座標のシステムは、ｘｙ座標を有する座標の線形システムであり、この線形システムは、サーチ領域を５０ｍ×５０ｍの座標フィールドに分割する。このような細分割は、モバイル使用のための装置にとっては、有利である。それは、都市領域において、例えば、このような分割が特色のあるポイントによってこれらの領域をユーザが容易に区別できるようにし、且つ、しばしば不明瞭なルートとなるほど大きくはない座標フィールドのサイズにするからである。
【００１５】
小さな集積回路における大容量記憶デバイスの更に安価な利用可能性によって、本発明の更なる発展に従って提供されるように、データベースは、当該装置自体、即ち、モバイルユニットに配置されるのが有効である。
【００１６】
しかしながら、請求項５に記載の本発明の更なる発展に従って提供されるように、メモリは、無線リンクによって当該装置がアクセスするサーバ中に分散形態で設けられてもよい。
【００１７】
請求項６に記載の本発明の更なる発展に従って設けられるように、当該装置が、必要ならば何処でも無線リンクを利用可能とする携帯電話に配置される場合に、このモバイルアクセスは、特に有効である。
【００１８】
請求項７に記載の本発明の更なる発展に従って提供されるように、中央に設けられる場合、データベースは、データベースにアクセスできる複数の装置やユーザにとって有利に設けられる。
【００１９】
しかしながら、請求項８に記載の本発明の更なる発展に従って提供されるように、データベースは、一人のユーザとユーザの要求に対して個々に設計されることができる。この場合、特に、所定の目的地は、そのユーザに対して個々に調整され得る。
【００２０】
更に、請求項９に記載の更なる発展において、本発明に従う装置のユーザは、追加のデータレコードがこれらの目的地に対してデータベースにセットアップされるような形態で、データベースに設けられるデータレコードに対して追加の個人的目的地を追加できる。次に、ユーザ自身は、ケース毎に、現在の座標フィールドと、次に検出されるべき座標フィールドの記述を指示できる。この様に、ユーザは、ユーザが本発明に従う装置によって引き続き使用する場合に案内され得る個人的目的地を比較的簡単にデータベースに入力できる。
【００２１】
本発明は、図面に示される実施の形態の実施例を参照して更に記述されるが、本発明は、これらの実施の形態に限定はされない。
【発明を実施するための最良の形態】
【００２２】
本発明に従うナビゲーション装置は、例えば、詳細には図面に示されない方法で、携帯電話や他のモバイル装置内の小さなプロセッサとして設けられる事ができる。
【００２３】
このナビゲーション装置は、ユーザが選択できる所定の目的地へユーザを案内することを意図している。従って、その所定の目的地が位置されるサーチ領域は、座標の線形システムによって複数の座標フィールドに分割される。本装置の、従ってユーザの現在の位置は、所与の間隔でこの装置が位置される現在の座標フィールドを決定する自動位置検出システムによって検出される。
【００２４】
このような位置決めシステムは、例えば、グローバルポジショニングシステム（ＧＰＳ）に従って動作するシステムであり得る。
【００２５】
図１は、サーチ領域の一部の例である。図１は、このサーチ領域が、座標の線形システムによって各々がＸとＹ座標を保持する複数の座標フィールドに分割されることを示す。サーチ領域は、通常かなり大きいが、図１の実例は、単に明瞭化のために、比較的少ない座標フィールドを有するように選択された。
【００２６】
図１に従う実例中の各座標フィールドは、一つのＸ座標と一つのＹ座標を保持する。データベースが設けられ、このデータベースは、本装置内に或いは装置から離間してサーバに設けられ、且つ、各データレコードがケース毎に所定の目的地に対して設けられる、複数のデータレコードを含む。
【００２７】
サーチ領域の全ての座標フィールドは、各データレコードに入力される。各座標フィールド毎に、各座標フィールドのＸとＹ座標がデータレコードに入力される。更に、関連する座標フィールドに対する記述が、データレコードに格納される。また、各座標フィールド毎に、データレコードが割り当てられる所定の目的地にユーザを案内するその座標フィールドが、データレコードに格納される。この座標フィールドに対する記述が、同様に、データレコードに格納される。
【００２８】
本装置、従って、この装置のユーザが、複数の座標フィールドの一つに位置されると、その記述が表示される。更に、この座標フィールドのＸとＹ座標もまた、表示される事ができる。この装置は、自動位置決めシステムによってどれが関連する座標フィールドかを決定する。
【００２９】
ユーザが事前に所定の目的地を入力した場合、この装置のユーザにとってその所定の目的地に到達する為に移動するのが有利なその座標フィールドが、割り当てられたデータレコードと、ユーザ従って本装置が位置される座標フィールドとによって決定される。本装置は、この座標フィールドをユーザに表示する。
【００３０】
次に、装置とユーザが、この座標フィールドに移動すると、この新たな座標フィールドが、上述のように、自動位置決めシステムによって現在の座標フィールドとして検出されて表示される。この現在の座標フィールドに対しても、装置のユーザが移動するのに有利なその座標フィールドが、再びデータレコードにセーブされる。ユーザがそれを行うと、この処理は、目的地に最終的に到達されるまで、繰り返される。
【００３１】
図２は、図１に従うサーチ領域の部分のデータレコードの概略表示である。
【００３２】
従って、図２は、図面に従う実施例において、図１に示されるＸ座標５６７２２５とＹ座標５９３８４７５を有する座標フィールドで地下鉄の駅を見つけるのに役に立つ単一のデータレコードの一部のみを示す。
【００３３】
例えば、本装置が、最初にＸ座標５６７２７５とＹ座標５９３８６２５を有する座標フィールドに位置される時、この装置は、図２に従ってデータレコードのコラムＡにこの座標の記述、即ち、“Ｂｏｒｇｗｅｇ  ２２，Ｓｕｄｒｉｎｇ  ２３”を表示する。これは、装置のユーザが周囲のエリアを識別できる記述を構成する。図２のデータレコードの概略表示のコラムＢには、地下鉄の駅に到達する為にユーザが移動するのに有利なその座標フィールドの記述が、入力される。
【００３４】
図２に従う実施例では、この記述は、“Ｂｏｒｇｗｅｇ  ２４，Ｓｕｄｒｉｎｇ  ２３”と読む。コラムＢには、ユーザが移動すべき座標フィールド、即ち、次にユーザに表示される“Ｂｏｒｇｗｅｇ  ２５−２７”が再び入力される。
【００３５】
この処理は、座標フィールド５６７２５２５／５９３８４７５まで、従って地下鉄の駅に到達されるまで繰り返される。
【００３６】
図１と２に示される本発明に従う装置の説明は、所定の目的地および比較的小さなサーチエリアに制限される。次に各々に対してデータレコードが提供されなければならない、複数の所定の目的地を通常は選択可能である。
【００３７】
本発明に従う装置は、モバイル装置において特に有利に使用されることができる。それは、本装置は単に準備されたデータにアクセスし、最適ルートの計算を実行する必要がないからである。
【００３８】
本発明に従う装置がアクセスするデータベースは、本発明に従う装置自体に或いはその装置から離間した態様で設けられることができ、それによって、複数のユーザがそれに対してアクセスできる。本発明に従う装置が携帯電話に設けられる場合、例えば、離間されたサーバへのアクセスには、全く問題がない。
【００３９】
データベースは、複数のユーザの共同使用のために、全てのユーザによって選択可能な所定の目的地を含むように、中央に設けられる事ができる。しかしながら、本発明に従う装置のユーザは、個人の目的地に対する追加のデータレコードを増加することができる。従って、本装置は、図２に示されるような、新たなデータレコードに対応する記述がユーザによって入力できるように設計される事が有利である。従って、ユーザは、個人の目的地のために更なるデータレコードを増やすことができる。
【図面の簡単な説明】
【００４０】
【図１】本発明に従う装置に対するサーチ領域の一部の概略表示である。
【図２】座標フィールドの記述を有する所定の目的地に対するデータレコードを示す図であり、図１に従う実例の座標フィールドの幾つかは、図２に従ってデータレコードに記録される。
【図１】
2005521047.tif 000003
【図２】
2005521047.tif 000004
【国際調査報告】
2005521047.tif 000005
2005521047.tif 000006